(57)【要約】【課題】使用及び携帯に便利な収縮装置を有する伸縮ペンを提供する。【解決手段】  上ペン軸及び下ペン軸を有し、伸縮管の一端を上ペン軸と結合し、別端縁に少なくとも一つの突出部を設け、外側に少なくとも一つのスライド溝を設け、伸縮管と結合するカムユニットをカム部、カム筒及び回転カムにより構成し、カム筒の内側に導引ブロックを設け、回転カムの内側に伸縮管の突出部がスライドする通路部と、それを止めるストッパーブロックを相隣して設置し、第一弾性部品にて伸縮管を覆い、第一弾性部材の両端は上ペン軸の内側縁とカム部を抵触し、芯ユニットを伸縮管に挿入して回転カムと抵触し、下ペン軸との間に第二弾性部品を設けている。  【選択図】  図３
2010115917.tif 000002
【特許請求の範囲】
【請求項１】
カム部、カム筒、伸縮管、回転カムを備え、
前記カム部の一端にストッパー縁を設け、内部に複数のリブとカム溝とを設け、
前記カム筒の外側縁に複数の突起部を設け、内部に少なくとも一つの導引ブロックを有し、一端に複数個の上噛歯を設け、
前記伸縮管の外側に少なくとも一つのスライド溝を設け、一端縁に少なくとも一つの突出部を設け、別端に結合部を設置し、
前記回転カムの縁に前記カム筒の上噛歯と噛合する複数個の下噛歯を設け、該回転カムの通路部内側に少なくとも前記伸縮管の突出部を緩む或いは圧縮するストッパーブロックを設け、
前記伸縮管のスライド溝及びカム筒の導引ブロックにより、該伸縮管をカム部、カム筒及び回転カムで組成するカムユニットの中でのみ可動させ、該伸縮管の突出部と回転カムのストッパーブロックにより、該伸縮管をカムユニット内で可動することを特徴とする伸縮ペン。
【請求項２】
下ペン軸、上ペン軸、伸縮管、突出部、カムユニット、芯ユニットを備え、
前記上ペン軸は前記下ペン軸と可動的に覆合する結合部を有し、
前記伸縮管の一端は上ペン軸と結合する結合部を有し、別端縁に少なくとも一つの突出部を有し、外側に少なくとも一つのスライド溝を設け、
前記カムユニットは下ペン軸及び伸縮管と結合して、該下ペン軸内部に設置するカム部及び伸縮管を覆合し、前記カム部と相互に可動結合するカム筒と回転カムと、第一弾性部品は伸縮管を覆合し、該第一弾性部材の両端はそれぞれ上ペン軸とカム部と抵触し、
前記カム筒は上ペン軸の結合部と対応して連動し、当該カム筒内部に少なくとも伸縮管のスライド溝をスライドする導引ブロックを有し、前記回転カムの内部に突出部がスライドする通路部及びそれを止めるストッパーブロックを相隣して設置し、第三弾性部品を前記下ペン軸の一端に設け、該第三弾性部品の両端をそれぞれ回転カムとストッパーブロックと抵触させ、
前記芯ユニットは前記伸縮管内に通して前記回転カムと抵触し、該芯ユニットと下ペン軸との間に第二弾性部品を設置することを特徴とする伸縮ペン。
【請求項３】
前記下ペン軸内に第三弾性部品を設置し、該第三弾性部品の両端はそれぞれ下ペン軸の一端に設けたストッパーブロック及び回転カムの一端に設けた掛合部と抵触することで、回転カムは外れることなく、下ペン軸内で正確な連動位置を保つことを特徴とする請求項2記載の伸縮ペン。
【請求項４】
前記上ペン軸は、必要に応じてクリップ、或いは上ペン軸管、切欠窓或いは装飾リングを設置することができることを特徴とする請求項2記載の伸縮ペン。
【請求項５】
前記伸縮管は、カムユニットの中に可動的に設置し、カムユニットと合わせて上ペン軸と連動することを特徴とする請求項2記載の伸縮ペン。
【請求項６】
前記カム部の一端にストッパー縁を設け、また、カム部の内側に相隣して数本のリブとカム溝とを設けることを特徴とする請求項2記載の伸縮ペン。
【請求項７】
前記カム筒の一端縁に複数個の突起部を設け、また、カム筒の縁に複数個の上噛歯を設けることを特徴とする請求項2記載の伸縮ペン。
【請求項８】
前記回転カムの縁は、上噛歯と噛合する複数個の下噛歯と複数個の棒状軸を設け、カム溝で可動し、リブと抵触することを特徴とする請求項2記載の伸縮ペン。
【請求項９】
前記芯ユニットにリングプレートを設け、該リングプレートの両面はそれぞれ回転カム及び第二弾性部品と抵触することを特徴とする請求項2記載の伸縮ペン。
【発明の詳細な説明】
【技術分野】
【０００１】
本発明は、上ペン軸、カムユニット及び伸縮管の組合せにより、上下ペン軸が緩む或いは圧縮する伸縮動作をすると同時に、芯の伸縮を連動することができ、使用及び携帯に便利な伸縮ペンの改良に関する。
【背景技術】
【０００２】
一般的に見られるペンは、ノックタイプや回転タイプがあり、芯をペンの軸内から出し入れできるようになっている。中華民国特許出願第088211757号の「ペンのノック装置の改良」では、ペン軸内部に設けたカム装置を介し、芯を直接伸縮収納することができる。
【０００３】
従来の伸縮ペンのカム装置に含まれるのは、カム部、カム筒、回転カムである。前記カム部の内部には定置装置を有し、若干組のリブとカム溝とを交差して設置している。前記リブとカム溝は、それぞれ第一、第二リブ及び中央がやや窪んだカム溝で構成し、前記リブの底部には傾斜部を設置している。この他、各カム溝の頂部にストッパー部を設け、カム筒の突起部と抵触して脱出を防止している。該カム筒の一端縁には、複数の突起部を設け、それぞれカム部のカム溝内に設置している。各突起部は、カム部のストッパー部まで移動でき、一端に設置する複数の上噛歯は、回転カムの一端縁にある複数の下噛歯と噛合する。この他、前記回転カムの一端縁には、複数の棒状軸とカム溝とを交差させて設置し、前記棒状軸はカム部の傾斜部と抵触し、前記リブはカム溝に沿って移動するようになっている。
【０００４】
アメリカ特許出願第6832868号「Writing Implement Which Lengthens And Shortens When Actuated」は、ペン軸を伸縮すると同時に芯を連動する構成である。しかしながら、当該構造は煩雑である上、分解修理しにくいことに鑑みて、更なる改良が必要であった。
【先行技術文献】
【特許文献】
【０００５】
【特許文献１】中華民国特許出願第088211757号
【特許文献２】アメリカ特許出願第6832868号
【発明の概要】
【発明が解決しようとする課題】
【０００６】
本発明は、上ペン軸、カムユニット及び伸縮管を利用して、上下ペン軸が伸縮動作を行う際、同時に芯の伸縮を連動させることで、使用及び携帯しやすい伸縮ペンを提供することを目的とする。
【課題を解決するための手段】
【０００７】
上述の目的を解決するために、本発明による伸縮ペンは、下ペン軸と、可動的に下ペン軸と覆合する上ペン軸と、該上ペン軸の内部に結合部を有し、伸縮管の一端を上ペン軸と結合し、別端に突出部を有し、外側に少なくとも一つのスライド溝を設け、下ペン軸と伸縮管とを結合するカムユニットを下ペン軸内部に固定設置するカム部と、伸縮管と可動的に覆合し、カム部と互いに可動結合するカム筒と回転カムにて構成し、第一弾性部品により伸縮管を覆合し、該第一弾性部材の両端をそれぞれ上ペン軸とカム部とに接触させ、前記カム筒を上ペン軸の結合部に対応して連動させ、該カム筒の内部にスライド溝をスライドする導引ブロックを設け、前記回転カムの内部に突出部がスライドする通路部とそれを止めるストッパーブロックを相隣して設置し、第三弾性部品を下ペン軸の一端に設置し、該第三弾性部品の両端はそれぞれ回転カムとストッパーリングと抵触させ、伸縮管を通って回転カムと抵触する芯ユニットを有し、該芯ユニットは下ペン軸との間に第二弾性部品を設置している。
【０００８】
この構成で、ユーザーが文字を書く場合、ノックすればペン軸を伸ばして芯を露出することができ、書き終わった際は同様にノックすれば、ペン軸と芯とを同時に収納することができるため、ペンを財布やポケット、カバンなどに収納することができ、携帯に便利である。  
【発明の効果】
【０００９】
本発明によれば、ノックすることによりペン軸を伸ばして芯を露出し、書き終わった際は同様にノックすればペン軸と芯を同時に収納することができるため、ペンを財布やポケット、カバンなどに収納することができ、携帯に便利である。  
【図面の簡単な説明】
【００１０】
【図１】本発明実施例に用いる伸縮連動装置の分解斜視図である。
【図２】本発明実施例に用いる伸縮連動装置の分解断面図である。
【図３】本発明実施例を示す伸縮ペンの分解斜視図である。
【図４】本発明実施例に係る伸縮ペンの収縮状態を示す斜視図である。
【図５】本発明の他の実施例に係る伸縮ペンの収縮状態を示す斜視図である。
【図６】本発明実施例に係る伸縮ペンの収縮状態を示す断面図である。
【図７】本発明実施例に係る伸縮ペンの伸長状態を示す斜視図である。
【図８】本発明の他の実施例に係る伸縮ペンの伸長状態を示す斜視図である。
【図９】本発明のさらに他の実施例に係る伸縮ペンの伸長状態を示す斜視図である。
【図１０】本発明実施例に係る伸縮ペンの伸長状態を示す断面図である。
【発明を実施するための形態】
【実施例】
【００１１】
図1及び図2は、伸縮ペンに用いる収縮連動装置を示す分解斜視図である。該伸縮連動装置は、カム部41、伸縮管3、カム筒42、回転カム43を備えている。前記カム部41は、その片端にストッパー縁411を設けている。該カム部４１は、その内部に複数の第一リブ412、第二リブ413及び複数の溝の浅い第一カム溝416と溝の深い第二カム溝417を設けている。前記カム部４１に設けた第二カム溝417は、前記回転カム43の外側にある複数の棒状軸434と嵌合するようになっている。前記カム部４１の第一カム溝416、第二カム溝417は、前記カム筒42の一端縁にある複数個の突起部422と嵌合する。前記カム部４１の第二リブ413の下端には、第二傾斜部415を前記第一カム溝416の下端まで延伸し、前記第一リブ412に相隣して回転カム43の棒状軸434の一端と抵触するようになっている。前記第一カム溝416及び第二カム溝417の上端には、ストッパー418を設け、前記カム筒42の突起部422の移動を止めるようになっている。前記カム筒42内には、少なくとも一つの導引ブロック421を設け、該導引ブロック421は可動的に伸縮管3のスライド溝32で移動する。前記カム筒42の一端には、複数の上噛歯423を設け、前記回転カム43の一端にある下噛歯433と噛み会うようになっている。前記伸縮管3は、その一端を回転カム43に覆合し、該回転カム43の通路部431の中に少なくとも一つのストッパーブロック432を設けることで、伸縮管3の一端に設置する少なくとも一つの突出部31を緩める或いは圧縮する。前記回転カム43の周囲に設ける複数の棒状軸434は、前記第二カム溝417で移動し、且つ第二傾斜部415と抵触する他、複数のカム溝435はカム部41の第一リブ412及び第二リブ413と合致して移動し、回転カム43の別端は芯管51にあるリング511と抵触する。前記伸縮管3は突出部31を設け、該突出部31の一端を前記回転カム43の中に挿入し、別端の結合部33は上ペン軸2の結合部211と抵触、嵌合、或いは螺合の方法を用いて、固定することで(図3を参照)、上ペン軸2と芯ユニット5は同時に下ペン軸1内で伸縮連動する。  
この構成で、前記伸縮管3のスライド溝32とカム筒42の導引ブロック421構造を介し、該伸縮管3はカム部、カム筒及び回転カムで組成するカムユニット内に限って動くようになっている。また、この伸縮管3の突出31部は、前記回転カム43のストッパーブロック432を介して、該伸縮管3をカムユニット４内だけで動くようにしている。即ち、伸縮管3を設けることにより、上ペン軸2を連動させることができ、これによって伸縮ペンの機能を果たす。また、伸縮管3の長さは必要に応じて、上ペン軸2の長さで設定することができ、従来技術である芯のみを伸縮するという欠点を改良し、ペン軸を伸縮する機能を備え持つ。
【００１２】
図3及び図4、図5は、本発明の実施例に係る伸縮ペンを示す分解斜視図及び収縮状態を示す斜視図である。本発明の実施例は収縮装置を有する伸縮ペンであり、下ペン軸1、上ペン軸2、伸縮管3、カムユニット4及び芯ユニット5で構成されている。
【００１３】
前記下ペン軸1の一端には、開口部11を有して筆記先端部12と接続するようになっている。前記下ペン軸1中のストッパーブロック13が第三弾性部品55の一端と抵触し、該第三弾性部品55の別端は回転カム43の掛合部436と抵触することで、該回転カム43は下ペン軸1の中だけで動くようになっている。なお、この下ペン軸1の片端には、必要に応じて模様111を設ける。
【００１４】
上ペン軸2と下ペン軸1とは、可動的に覆合される。該上ペン軸2は押圧部21、内管22、クリップ23、上ペン軸管24及び装飾リング２５により構成されている。前記押圧部21は結合部211を有し、クリップ23と内管22は押圧部21に通し、上ペン軸管24は内管22の外側に設置している。前記押圧部21と内管22の内部には空洞を形成し、その中で前記第一弾性部品44が伸縮することができる。前記装飾リング25は、上ペン軸管24と下ペン軸1との間に設置することで、上下ペン軸1及び2が伸縮する際に直接接触して摩損するのを防止している。
【００１５】
上ペン軸管24は、その片側に必要に応じて切欠窓241を形成することができる(図4及び図7を参照。)。ペンを収縮している状態では、下ペン軸1の一端は上ペン軸2の中に収縮されている。この時、下ペン軸1の片側に設置する模様111は上ペン軸2の切欠窓241に表示される。ペンを伸長した状態において、下ペン軸1の一端は上ペン軸2の外に露出することで、内管22の片側に設置する模様221が上ペン軸2の切欠窓241に表示される。
【００１６】
本実施例は必要に応じてクリップ23、上ペン軸管24、或いは切欠部241、装飾リング25の設置を選択することができるが、それらを用いなくても、本発明の操作は何ら影響を受けないものである(図5及び図8を参照。)。
【００１７】
前記伸縮管3の一端にある結合部33は、押圧部21の結合部211と抵触、或いは嵌合、螺合などの方法で固定する。また、伸縮管３の別端には少なくとも一つの突出部31を有し、外側に少なくとも一つのスライド溝32を設ける。
【００１８】
カムユニット4は、下ペン軸1及び伸縮管3と結合される。この下ペン軸1の内部には、前記カム部41と伸縮管3とを可動的に設置している。該カム部41は、相互にカム筒42と回転カム43と可動的に結合している。該カム筒42は、伸縮管3を介して結合部211と連結する。第一弾性部品44は伸縮管3を覆い、両端はそれぞれ上ペン軸2とカム部41と抵触し、上ペン軸2と下ペン軸1とに対応して、伸びる或いは縮める伸縮動作を繰り返す。カム筒42の内部には、伸縮管3のスライド溝32をスライドする少なくとも一つの導引ブロック421を有している。前記回転カム43の内部は、突出部31を収納する通路部431とストッパーブロック432とを隣接して設置している。前記カム部41の一端にはストッパー縁411を設け、内側に互い隣接するように第一リブ412及び第二リブ413、第一カム溝416、第二カム溝417を設けている。該カム筒42の一端縁には、複数の第一カム溝416及び第二カム溝417と嵌合する突起部422を設け、縁に上噛歯423を設置している。前記回転カム43の端縁には、上噛歯423と噛合する下噛歯433を有し、片端に第三弾性部品55と抵触する掛合部436を設けている。また、回転カム43の縁には、棒状軸434を設置し、該棒状軸434は第二カム溝417で可動し、第二リブ413と抵触する。
【００１９】
芯ユニット5は、芯管51、芯カバー53及び芯リフィル54から構成されている。該芯管51の覆合部512は、芯カバー53の開口部531と嵌合し、芯リフィル54は芯カバー53に挿入し、筆記先端部のみ芯カバー53より露出するようになっている。前記芯ユニット5を伸縮管3の中に入れ、芯管51の下方にリング511を設置し、該芯カバー53にあるリングプレート532と抵触する。前記芯ユニット5と下ペン軸1との間には、第二弾性部品52を設置している。前記リング511と芯カバー53とのリングプレート532は、それぞれ回転カム43及び第二弾性部品52と抵触している。前記芯カバー53の設置は、必須ではなく(図9を参照)、直接筆記先端部12を芯リフィル54と連結することもできる。
【００２０】
図4ないし図10に示すのは、本実施例の収縮状態の斜視図と断面図及び伸長した状態の斜視図と断面図である。図に示すように、本実施例を操作使用する際(図1、図2及び図3を参照)、図4及び図5の収縮状態を例として挙げると、前記伸縮管3の突出部31は、回転カム43のストッパーブロック432で止められるため、下ペン軸1はカムユニット4により、上ペン軸2の中に収縮する。
【００２１】
図6及び図10に示すのは、本実施例に係る伸縮ペンの収縮状態を示す断面図及び伸長状態の断面図である。図に示すように、下ペン軸1内に第三弾性部品55(図3を同時参照)を設置し、両端はそれぞれ下ペン軸1の一端にあるストッパーリング13及び回転カム43の一端に設ける掛合部436と抵触する。芯リフィル54を交換する際、筆記先端部12を外して芯リフィル54を抜き取り、その際、回転カム43は第三弾性部品55が抵触しているため外れることがなく、下ペン軸1内にて正確な連動位置を保つ。
【００２２】
本実施例に係る伸縮ペンを使用して文字を書く際、ユーザーは直接上ペン軸2の端部を押すと、上ペン軸2内部の結合部211が伸縮管3と連動して下方に移動することで、カム筒42の導引ブロック421が伸縮管3のスライド溝32に沿ってスライドし、上ペン軸2の結合部211がカム筒42を押す。この時、カム筒42の突起部422はカム部41の第一カム溝416及び第二カム溝417の中で下方に移動する。また、前記回転カム43のカム溝435は、カム部41の第一リブ412及び第二リブ413に沿ってスライドし、カム筒42はその縁にある上噛歯423の傾斜部は回転カム43の下噛歯433を押し、それにより回転カム43が回転する。それにより、前記回転カム43の棒状軸434がカム部41の第二カム溝417から離れ、スライド時に第二リブ413と第一カム溝416の底部にある第二傾斜部415と抵触し、第一リブ412の片側でストップし、同時に回転カム43のカム溝435はカム部41の第一リブ412と第二リブ413から離れる。回転カム43が回転するとき、同時に回転カム43のストッパーブロック432は伸縮管3の突出部31から離れるため、伸縮管3の突出部31は回転カム43の通路部431に入る。それにより第一弾性部品44は緩み、上ペン軸2を上向きに押すと同時に、回転カム43は下方に移動することで、芯ユニット5の一端にある芯カバー53より筆記先端部12を押し出し、第二弾性部品52を圧縮する。このように、上ペン軸2及び芯ユニット5を緩ませ、芯ユニット5の芯リフィル54を露出して文字を書くことができる。
【００２３】
ユーザーがペンを収納する際には、前記と同様に上ペン軸2の端部を押し、上ペン軸2は伸縮管3及び内部の結合部211と連動して下方に移動することで、カム筒42の導引ブロック421が伸縮管3のスライド溝32に沿ってスライドし、上ペン軸2の結合部211がカム筒42を押す。この時、カム筒42の突起部422はカム部41の第一カム溝416及び第二カム溝417の中で下方に移動すると、カム筒42はその縁にある上噛歯423の傾斜構造を利用して回転カム43の下噛歯433を押し、回転カム43を回転させることで、回転カム43の棒状軸434を第二リブ413と第一カム溝416の底部にある第二傾斜部415から離す。スライドして第一リブ412の第一傾斜部414を抵触し、カム部41の第二カム溝417の中に入り、同時に回転カム43のカム溝435はカム部41の第一リブ412及び第二リブ413に入る。回転カム43が回転している際、同時に伸縮管3の突出部31は回転カム43の通路部431の中でスライドし、回転カム43のストッパーブロック432の縁で止まることで、下ペン軸1は上ペン軸2内に収縮して第一弾性部品44を圧縮する。同時に伸縮管3の突出部31によって回転カム43を上方に移動するため、第二弾性部品52は緩み、芯ユニット5の芯リフィル54の先端が筆記先端部12内に入り、上ペン軸2及び芯ユニット5の収納が完了する。
【００２４】
以上の実施例による本発明の詳細な説明は本発明の範囲を制限するものではない。本技術に熟知する者が、本発明の範囲内にて行う変更や調整を行っても、本発明の重要な意義は失われず、本発明の範囲に含まれる。
【符号の説明】
【００２５】
1  下ペン軸
11  開口部
111  模様
12  筆記先端部
13  ストッパーブロック
2  上ペン軸
21  押圧部
211  結合部
22  内管
221  模様
23  クリップ
24  上ペン軸管
241  切欠窓
25  装飾リング
2  伸縮管
31  突出部
32  スライド溝
33  結合部
4  カムユニット
41  カム部
411  ストッパー縁
412  第一リブ
413  第二リブ
414  第一傾斜部
415  第二傾斜部
416  第一カム溝
417  第二カム溝
418  ストッパー
42  カム筒
421  導引ブロック
422  突起部
423  上噛歯
43  回転カム
431  通路部
432  ストッパーブロック
433  下噛歯
434  棒状軸
435  カム溝
436  掛合部
44  第一弾性部品  
3  芯ユニット
51  芯管
511  リング
512  覆合部
52  第二弾性部品
53  芯カバー
531  開口部
532  リングプレート
54  芯リフィル
55  第三弾性部品
【図１】
2010115917.tif 000003
【図２】
2010115917.tif 000004
【図３】
2010115917.tif 000005
【図４】
2010115917.tif 000006
【図５】
2010115917.tif 000007
【図６】
2010115917.tif 000008
【図７】
2010115917.tif 000009
【図８】
2010115917.tif 000010
【図９】
2010115917.tif 000011
【図１０】
2010115917.tif 000012